(57)【特許請求の範囲】
【請求項１】
液体を吐出する液体吐出部に供給される液体を保有し、前記液体吐出部との間で液体を循環可能に接続された液室を構成するケーシングと、
前記ケーシングに液体を補充する液体補充部と、
前記ケーシングに気体を補充する気体補充部と、を備え、
前記液体吐出部における圧力値が所定域の下限値より低い場合、まず、前記気体補充部で前記ケーシングに前記気体を補充することにより前記ケーシング内の圧力を加圧し、次に前記液体補充部で前記ケーシングに前記液体を補充する、ことを特徴とする液体循環装置。
【請求項２】
前記気体補充部は、前記液室の前記気体を排出可能であり、前記液体の補充、前記気体の補充、及び前記気体の排出により前記ケーシング内の圧力を調整することを特徴とする請求項１の液体循環装置。
【請求項３】
前記ケーシング内の圧力を検出する圧力検知部と、
前記圧力検知部で検出される前記液室の圧力に基づき前記気体補充部を制御する、制御部と、を備える請求項１または２記載の液体循環装置。
【請求項４】
前記ケーシングは、前記液体吐出部からの液体を回収する回収室と、前記液体吐出部に液体を供給する供給室とを形成する、ことを特徴とする請求項１乃至３のいずれか記載の液体循環装置。
【請求項５】
前記ケーシングは前記液体吐出部の上にあり、前記液体吐出部と一体に設けられることを特徴とする請求項1乃至４のいずれか記載の液体循環装置。
【請求項６】
請求項１乃至５のいずれかに記載の液体循環装置と、
液体を吐出するノズルを備える液体吐出部と、
前記ノズルから前記液体が吐出される位置に記録媒体を搬送する搬送部と、
前記液体を循環させる循環部と、
を備えることを特徴とする液体吐出装置。
【請求項７】
液体を吐出する液体吐出部と、前記液体吐出部に供給する液体を保有するケーシングとで、前記液体を循環させ、
前記液体吐出部における圧力値が所定域の下限値より低い場合、まず気体補充部で前記ケーシングに気体を補充することにより前記ケーシング内の圧力を加圧し、次に液体補充部で前記ケーシングに前記液体を補充する、ことを特徴とする液体吐出方法。
【発明の詳細な説明】
【技術分野】
【０００１】
本発明の実施形態は、液体循環装置、液体吐出装置、および液体吐出方法に関するものである。
【背景技術】
【０００２】
液体タンクからノズルを有する液体吐出ヘッドに液体を供給し、ノズルから液体を吐出する液体吐出装置が提供されている。この液体吐出装置において、液体タンクの液体が減ったのを検知すると、印字動作を止めずに、液体を補給し、上記液体により圧力を調整する技術が知られている。
【先行技術文献】
【特許文献】
【０００３】
【特許文献１】特開２０１２-１１１０９６号公報
【発明の概要】
【発明が解決しようとする課題】
【０００４】
液体の補給のみによって圧力調整を行っていると、圧力調整の応答性が遅いため、液体吐出時の圧力の変動値が大きい。このため、吐出体積にばらつきが発生して、画像乱れの原因となってしまう。
【課題を解決するための手段】
【０００５】
実施形態の液体循環装置は、液体を吐出する液体吐出部に供給される液体を保有し、前記液体吐出部との間で液体を循環可能に接続された液室を構成するケーシングと、前記ケーシングに液体を補充する液体補充部と、前記ケーシングに気体を補充する気体補充部と、を備え、前記液体吐出部における圧力値が所定域の下限値より低い場合、まず前記気体補充部で前記ケーシングに前記気体を補充することにより前記ケーシング内の圧力を加圧し、次に前記液体補充部で前記ケーシングに前記液体を補充する、ことを特徴とする。
【図面の簡単な説明】
【０００６】
【図１】実施形態のインクジェット記録装置の側面図。
【図２】実施形態のインクジェット記録装置の平面図。
【図３】実施形態のインクジェットヘッドの説明図。
【図４】実施形態のインクジェットヘッドのノズルにインクが留まる状態を示す説明図。
【図５】実施形態のインクジェットヘッドのノズルからインク滴が吐出する状態を示す説明図。
【図６】実施形態のインク循環装置の説明図。
【図７】実施形態のインク循環および圧力調整部の説明図。
【図８】実施形態のインクジェット記録装置の制御系を示すブロック図。
【図９】実施形態の圧力調整手順を示すフローチャート。
【図１０】実施形態の圧力調整を示す説明図。
【図１１】実施形態の空気制御及びインク補充制御による圧力調整を行う場合の圧力値のグラフ。
【図１２】インク補充制御による圧力調整を行う場合の圧力値のグラフ。
【発明を実施するための最良の形態】
【０００７】
［実施形態］
以下、実施形態にかかるインクジェット記録装置１について図１乃至図８を参照して説明する。各図において説明のため、適宜構成を拡大、縮小または省略して示している。なお、同じ構造または類似する構造には同じ番号を付している。
【０００８】
図１はインクジェット記録装置１の正面図であり、図２はインクジェット記録装置１の平面図である。図１および図２に示すように、液体吐出装置であるインクジェット記録装置１は、画像形成部６、搬送部である記録媒体移動部７、およびメンテナンスユニット３１０を備える。
【０００９】
画像形成部６は、インクジェット記録部４、インクジェット記録部４を支持するキャリッジ１００、キャリッジ１００を矢印Ａ方向に往復移動させる搬送ベルト１０１、搬送ベルト１０１を駆動するキャリッジモータ１０２を備える。
【００１０】
インクジェット記録部４は、液体吐出部でありインク吐出部であるインクジェットヘッド２と、循環部であるインク循環装置３と、を備える。インク循環装置３は、インクジェットヘッド２の上方にあって、インクジェットヘッド２と一体に形成される。インクジェット記録部４は、記録媒体Ｓにインクを吐出して、所望の画像を形成する。
【００１１】
インクジェット記録部４は、例えばシアンインク、マゼンダインク、イエロインク、ブラックインク、ホワイトインクをそれぞれ吐出するインクジェット記録部４ａ、４ｂ、４ｃ、４ｄ、４ｅを備える。インクジェット記録部４ａ、４ｂ、４ｃ、４ｄ、４ｅがそれぞれ使用するインクの色あるいは特性は限定されない。たとえばインクジェット記録部４ｅは、ホワイトインクに換えて、透明光沢インク、赤外線または紫外線を照射したときに発色する特殊インク等を吐出可能である。インクジェット記録部４ａ、４ｂ、４ｃ、４ｄ、４ｅは、それぞれ使用するインクが異なるものの同じ構成である。したがって共通の符号を用いて説明する。
【００１２】
インクジェット記録部４は、インク循環部３をインクジェットヘッド２の上方に積載することにより幅を狭められる。従って複数のインクジェット記録部４ａ〜４ｅを並列に支持するキャリッジ１００の幅を狭めることができる。画像形成部６は、キャリッジ１００の幅を狭めることにより、キャリッジ１００の搬送距離を減少でき、インクジェット記録装置１の小型化を得られ且つ印字速度を高めることができる。
【００１３】
画像形成部６は、インク循環装置３に新しいインクを補充するためのインクカートリッジ８１を備える。インクカートリッジ８１の８１ａ、８１ｂ、８１ｃ、８１ｄ、８１ｅは、それぞれシアンインク、マゼンダインク、イエロインク、ブラックインクインク、ホワイトインクを保有する。インクカートリッジ８１ａ、８１ｂ、８１ｃ、８１ｄ、８１ｅは、それぞれ保有するインクが異なるものの同じ構成である。したがって共通の符号を用いて説明する。インクカートリッジ８１は、チューブ８２を介してインクジェット記録部４のインク循環装置３に連通する。インクカートリッジ８１は、重力方向においてインク循環装置３より相対的に下方に配置されている。
【００１４】
記録媒体移動部７は、記録媒体Ｓを吸着固定するテーブル１０３を備える。テーブル１０３は、スライドレール装置１０５上に取り付けられて矢印Ｂ方向に往復移動する。テーブル１０３は、ポンプ１０４により内部が負圧になり、上面の小径の穴１１０から記録媒体Ｓを吸着して固定する。インクジェット記録部４が搬送ベルト１０１に沿って矢印Ａ方向に往復移動する間、インクジェットヘッド２のノズルプレート５２と記録媒体Ｓとの距離ｈは一定に維持される。インクジェットヘッド２は、ノズルプレート５２の長手方向に３００個の液体吐出部であるノズル５１を備える。ノズルプレート５２の長手方向は、記録媒体Ｓの搬送方向と同じとなる。
【００１５】
画像形成部６は、記録媒体Ｓの搬送方向に対して直交する方向にインクジェットヘッド２を往復移動させながら、記録媒体Ｓに画像を形成する。インクジェットヘッド２は、画像形成信号に合わせてノズルプレート５２に設けたノズル５１からインクＩを吐出して、記録媒体Ｓに画像を形成する。インクジェット記録部４は、記録媒体Ｓ上に例えば３００ノズルの幅で画像を形成する。
【００１６】
メンテナンスユニット３１０は、インクジェット記録部４の矢印Ａ方向の走査範囲であって、テーブル１０３の移動範囲より外側の位置に配置される。インクジェットヘッド２は、待機位置Ｑでメンテナンスユニット３１０に対峙する。メンテナンスユニット３１０は上方が開放したケースであって、上下（図１矢印Ｃ、Ｄ方向）に移動可能に設けられる。
【００１７】
画像をプリントするためにキャリッジ１００が矢印Ａ方向に移動している場合、メンテナンスユニット３１０は下方（矢印Ｃ方向）に移動してノズルプレート５２から離間する。プリント動作が終了した場合にメンテナンスユニット３１０は上方（矢印Ｄ方向）に移動する。プリント動作が終了してインクジェットヘッド２が待機位置Ｑに戻ると、メンテナンスユニット３１０は上方に移動して、インクジェットヘッド２のノズルプレート５２を覆う。メンテナンスユニット３１０は、ノズルプレート５２からのインクの蒸発を防止し、ノズルプレート５２にほこりや紙粉が付着するのを防止する。メンテナンスユニット３１０は、ノズルプレート５２のキャップ機能を備える。
【００１８】
メンテナンスユニット３１０は、ゴム製のブレード１２０及び廃インク受け部１３０を備える。ゴム製のブレード１２０は、インクジェットヘッド２のノズルプレート５２に付着したインク、ほこり、紙粉などを除去する。廃インク受け部１３０は、メンテナンス動作を行う間に発生する廃インク、ほこり、紙粉などを受ける。メンテナンスユニット３１０は、ブレード１２０を矢印Ｂ方向へ移動させる機構を備え、ブレード１２０でノズルプレート５２表面を払拭する。
【００１９】
インクジェットヘッド２は、ノズル近傍で劣化したインクを除去するため、ノズル５１からインクを強制的に吐出させるメンテナンス（スピット機能）を行う。インクジェットヘッド２は、インクをノズル５１から少量流出させてインクジェットヘッド２の表面に付着した紙粉やほこりを流出したインク膜内に取り込み、ブレード１２０で拭取るメンテナンス（パージ機能）を行う。廃インク受け部１３０はスピット機能あるいはパージ機能により発生した廃インクを回収する。
【００２０】
インクジェット記録装置１は、記録媒体移動部７による記録媒体Ｓの搬送方向に対して、インクジェットヘッド２を直交する方向に往復移動させながら、ノズル５１からインクを吐出して、記録媒体Ｓに画像を形成する。
【００２１】
インクジェット記録装置１の構造は限定されない。たとえば記録媒体の移動にテーブル１０３を利用するのではなく、ロール状の記録媒体をインクジェット記録部４の移動方向と直行する方向に巻き取ることにより移動する装置であっても良い。あるいはシート状の記録媒体をプラテンローラにより、インクジェット記録部４の移動方向と直行する方向に移動する装置であっても良い。
【００２２】
インクジェットヘッド２は、例えば図３および図４に示すように、ノズル５１を備えるノズルプレート５２と、アクチュエータ５４を備える基板６０と、基板６０に接続されるマニフォルド６１と、を備える。基板６０は、ノズル５１とアクチュエータ５４の間に、インクを流すインク流路１８０を備える。アクチュエータ５４はインク流路１８０に面し、かつ各ノズル５１に対応してそれぞれ備えられる。
【００２３】
基板６０は、アクチュエータ５４によってインク流路１８０内のインクに発生した圧力がノズル５１に集中するように、隣接するノズル５１間に境界壁１９０を備える。ノズルプレート５２、アクチュエータ５４、および境界壁１９０で囲まれたインク流路１８０がインク圧力室１５０となる。インク圧力室１５０は、第１ノズル列５７ａのそれぞれのノズル５１ａ、及び第２ノズル列５７ｂのそれぞれのノズル５１ｂに対応して複数設けられる。第１ノズル列５７ａ及び第２ノズル列５７ｂはそれぞれノズル５１ａ、５１ｂを３００個ずつ備える。
【００２４】
基板６０は複数の圧力室１５０にインクを供給する共通インク供給室５８、複数のインク圧力室１５０からのインクを回収する共通インク室５９を第１ノズル列５７ａ側と第２ノズル列５７ｂ側にそれぞれ備える。
【００２５】
マニフォルド６１は、矢印Ｆ方向へインクを流入させるインク供給口１６０と、インクを矢印Ｇ方向へ排出するインク排出口１７０と、を備える。インク循環装置３からインク供給口１６０にインクＩが供給され、インク排出口１７０からインク循環装置３にインクが還流する。マニフォルド６１は、インク供給口１６０から共通インク供給室５８に連通するインク分配通路６２を有している。マニフォルド６１は、共通インク室５９からインク排出口１７０に連通するインク環流通路６３を有している。
【００２６】
すなわち、基板６０、マニフォルド６１、およびノズルプレート５２によって、インクジェットヘッド２の内部に、インク流路１８０が形成される。インク流路１８０は、ノズル５１a、５１ｂに連通する複数のインク圧力室１５０と、マニフォルド６１に形成されたインク供給口１６０ａおよびインク排出口１７０と、複数のインク圧力室１５０に連通される共通インク供給室５８と、複数のインク圧力室１５０からのインクを回収する共通インク室５９と、インク供給口１６０ａから共通インク供給室５８に連通するインク分配通路６２と、共通インク室５９からインク排出口１７０に連通するインク環流通路６３と、を有する。
【００２７】
インク分配通路６２を矢印Ｆ方向に流れるインクＩは、共通インク供給室５８から複数のインク圧力室１５０に流入する。インク圧力室１５０でノズル５１から吐出されなかったインクＩは、共通インク室５９に流入し、インク環流通路６３に還流する。
【００２８】
インクジェットヘッド２のアクチュエータ５４は、例えば圧電素子５５と振動板５６を積層したユニモルフ式の圧電振動板で構成される。圧電素子５５は例えばＰＺＴ（チタン酸ジルコン酸鉛）等の圧電セラミック材料等で構成される。振動板５６は例えばＳｉＮ（窒化ケイ素）等で形成される。
【００２９】
図４、図５に示すように圧電素子５５は上下に電極５５ａ、５５ｂを備える。電極５５ａ、５５ｂに電圧がかからない場合は、図４に示すように圧電素子５５が変形しないことから、アクチュエータ５４は変形しない。アクチュエータ５４が変形しない場合、インクの表面張力によって、ノズル５１内にはインクＩと空気の界面であるメニスカス２９０が形成される。メニスカス２９０によりインク圧力室１５０内のインクＩは、ノズル５１内に留まる。
【００３０】
電極５５ａ、５５ｂに電圧（Ｖ）がかかると、圧電素子５５が変形して、アクチュエータ５４は図５に示すように変形する。アクチュエータ５４の変形により、メニスカス２９０にかかる圧力が空気圧より高くなり（陽圧）、インクＩはメニスカス２９０を破ってインク滴ＩＤとなりノズル５１から吐出する。なお、大気圧をゼロとし、負圧は大気圧よりも低い圧力、陽圧は大気圧よりも高い圧力である。
【００３１】
インクジェットヘッドは、インク圧力室内のインクに圧力変動を生じるものであるが、構造は限定されない。インクジェットヘッドは、例えば静電気で振動板を変形してインク滴を吐出する構造、あるいはヒータ等の熱エネルギーを利用してノズルからインク滴を吐出する構造等でもよい。またインクは温度により粘性が変わり、ノズルからの吐出特性が変わることから、インク吐出を良好に制御するために、インクジェットヘッドに温度センサを備えても良い。
【００３２】
インク循環装置３は、例えば図６及び図７に示すように、液室でありインク室であるインクケーシング７０、循環部７６、及び気体補充部である圧力調整部９０を備える。インク循環装置３は、インクを循環してインクジェットヘッド２に供給し、且つインクジェットヘッド２のインク圧力室１５０の圧力を調整する。インク循環装置３は、インク圧力室１５０の圧力を調整して、ノズル５１のメニスカス２９０の圧力を調整する。インク循環装置３は、インクジェットヘッド２にインクを循環供給して、インクＩに含まれる気泡を吸収し、あるいは異物を除去する。
【００３３】
インクジェットヘッド２は、ノズル５１のメニスカス２９０にかかる圧力が大気圧より高ければ（陽圧）、ノズル５１からインクＩが漏れ出る。メニスカス２９０にかかる圧力が大気圧より低ければ（負圧）、インクＩはメニスカス２９０を維持しノズル５１内に留まる。
【００３４】
例えばインクＩが重力方向（下向き）に吐出するようにノズル５１が配置されていると、インク圧力室１５０内の圧力が−０．５ｋＰａより大きい（陽圧側）場合に、わずかな振動等でインクＩはノズル５１から漏れ出る。また、インク圧力室１５０内の圧力が−４．０ｋＰａより小さい（負圧側）場合に、ノズル５１から気泡を吸引して、インクの吐出不良を生じる。インク循環装置３は、メニスカス２９０の圧力を−４．０ｋＰａ〜−０．５ｋＰａの範囲に維持して、不要なインク漏れあるいは気泡の吸引を防止する。
【００３５】
インクケーシング７０は、インクジェットヘッド２からのインクＩを回収するインク回収室７１と、インクジェットヘッド２にインクＩを供給するインク供給室７２と、インク回収室７１とインク供給室７２との間に介在する共通壁７３と、を備える。インクケーシング７０は、外気に対して密閉される。インク回収室７１は第１の液面α１を形成するインクＩを保有し、第１の液面α１の上方に第１の空気室β１を構成する。インク供給室７２は、第２の液面α２を形成するインクＩを保有し、第２の液面α２の上方に第２の空気室β２を構成する。
【００３６】
インク回収室７１は、インク戻し管７１ａを備える。インク戻し管７１ａは、インク回収室７１内と、インクジェットヘッド２のインク排出口１７０に連通する。インク戻し管７１ａを通ってインクジェットヘッド２からのインクＩはインク回収室７１に還流する。インク回収室７１は、インク供給ポンプ７１ｂを備える。インク供給ポンプ７１ｂは、液体補充部でありインク補充部である。インク供給ポンプ７１ｂはチューブ８２を介してインクカートリッジ８１からインク回収室７１内に新しいインクを補充する。インク回収室７１は、循環部７６に送液されるインクが通る送液孔７１ｃを備える。インク回収室７１は、圧力調整部９０の第１の圧力調整部９１に連通する第１の連通孔７１ｄを備える。
【００３７】
インク供給室７２はインク供給管７２ａを備える。インク供給管７２ａは、インク供給室７２内とインクジェットヘッド２のインク供給口１６０に連通する。インク供給口１６０を通ってインクジェットヘッド２にインクＩが流入する。インク供給室７２は、循環部７６から送液されるインクＩが排出される排出孔７２ｂを備える。インク供給室７２は、圧力調整部９０の第２の圧力調整部９２に連通する第２の連通孔７２ｃを備える。
【００３８】
インク回収室７１およびインク供給室７２とインクジェットヘッドとの間で良好なインク循環が可能である。なお、インク回収室７１およびインク供給室７２の構造は限定されない。例えばインクの温度を所定範囲に保持するように、インクを加熱するヒータを備えても良い。
【００３９】
インクカートリッジ８１を、重力方向においてインク循環装置３より相対的に下方に配置することで、インクカートリッジ８１内のインクの水頭圧が、インク回収室７１の設定圧力より低く保たれる。インクカートリッジ８１を、インク循環装置３より下方に配置することにより、インクカートリッジ８１は、インク供給ポンプ７１ｂが駆動している時だけインク回収室７１へ新たなインクを供給する。
【００４０】
インク供給ポンプ７１ｂは、例えば圧電ポンプである。インク供給ポンプ７１ｂは、圧電素子と金属板を貼り合わせた圧電振動板がたわむことでポンプ内の容積（ポンプ室の容積）を周期的に変化させる。インク供給ポンプ７１ｂは、ポンプ室の容積の変化によりインクカートリッジ８１からポンプ室にインクを搬送する。インク供給ポンプ７１ｂは、逆止弁によってインクの搬送方向をインクカートリッジ８１からインク回収室７１への一方向にする。インク供給ポンプ７１ｂは、圧電振動板のたわみによりポンプ室が拡張すると、ポンプ室にインクが流入する。インク供給ポンプ７１ｂは、圧電振動板のたわみによりポンプ室が収縮すると、ポンプ室からインクが流出する。インク供給ポンプ７１ｂは、ポンプ室の拡張と収縮を繰り返してインクカートリッジ８１からインク回収室７１にインクを送液する。
【００４１】
インクカートリッジ８１の配置や位置は限定されない。例えばインクカートリッジ８１をインク循環装置３より高い位置に配置した場合は、インクカートリッジ８１内のインクの水頭圧が、インク回収室７１の設定圧力より高くなる。インクカートリッジ８１を、インク循環装置３より高い位置に配置した場合は、水頭差を利用して電磁弁を開閉することにより、インクカートリッジ８１からインク回収室７１にインクを供給可能である。
【００４２】
インク循環装置３の循環部７６は、図７に示すように、インク回収室７１の送液孔７１ｃからインク供給室７２の排出孔７２ｂに達する循環路７６ａを備える。循環部７６は、循環路７６ａ上に循環ポンプ７７及びフィルタ７８を備える。循環ポンプ７７は、隣接するインク回収室７１とインク供給室７２に跨って設けられる。循環ポンプ７７は、矢印Ｊで示すように、インクＩをインク回収室７１からインク供給室７２及びインクジェットヘッド２を経てインク回収室７１に循環する。循環部７６は、送液孔７１ｃからインクを吸引し、排出孔７２ｂを通してインク供給室７２へインクＩを送液する。循環ポンプ７７として、例えばチューブポンプ、ダイヤフラムポンプ、或いはピストンポンプ等を利用する。
【００４３】
フィルタ７８は、例えば循環路７６ａの循環ポンプ７７よりも循環方向の下流に在り、インクＩに混入した異物を除去する。フィルタ７８として、例えばポリプロピレン、ナイロン、ポリフェニレンサルファルド、或いはステンレス等のメッシュフィルタを利用する。
【００４４】
循環部７６によりインク回収室７１からインク供給室７２にインクを循環する間にインクＩ中の気泡は浮力によって重力方向と逆向き（上方向）に上昇する。浮力により上昇した気泡はインク回収室７１の第１の液面α１あるいはインク供給室７２の第２の液面α２より上方の空気室β１、β２に移動してインクから除去される。
【００４５】
インク循環装置３は、図７に示すように、インク回収室７１のインク量を計測する第１のインク量センサ（液面センサ）８８ａと、インク供給室７２のインク量を計測する第２のインク量センサ（液面センサ）８８ｂを備える。第１のインク量センサ（液面センサ）８８ａおよび第２のインク量センサ（液面センサ）８８ｂは、例えば圧電振動板を交流電圧で振動させて、インク回収室７１やインク供給室７２を伝わるインクの振動をそれぞれ検出して、インク量を計測する。インク量センサの構造は限定されず、第１の液面α１や第２の液面α２の高さを計測する構造であっても良い。
【００４６】
インク循環装置３は、図７に示すように、インク回収室７１の第１の連通孔７１ｄに連通する第１の圧力センサ９１ｂとインク供給室７２の第２の連通孔７２ｃに連通する第２の圧力センサ９２ｂを備える。第１の圧力センサ９１ｂは、圧力検知部であり、インク回収室７１の第１の空気室β１の圧力を検出する。第２の圧力センサ９２ｂは、（圧力検知部であり）、インク供給室７２の第２の空気室β２の圧力を検出する。圧力センサ９１ｂ、９２ｂの構造は限定されない。圧力センサ９１ｂ、９２ｂは、例えば半導体ピエゾ抵抗圧力センサを利用して第１の空気室β１あるいは第２の空気室β２の圧力を電気信号として出力する。半導体ピエゾ抵抗圧力センサは、外部からの圧力を受けるダイヤフラムと、このダイヤフラムの表面に形成された半導体歪ゲージとを備える。半導体ピエゾ抵抗圧力センサは、外部からの圧力によるダイヤフラムの変形に伴い歪ゲージに生じるピエゾ抵抗効果による電気抵抗の変化を電気信号に変換して圧力を検出する。
【００４７】
インク循環装置３の第１の圧力調整部９１は第１の圧力調整ポンプ９１ａを備え、第２の圧力調整部９２は第２の圧力調整ポンプ９２ａを備える。圧力調整ポンプ９１ａ、９２ａは、それぞれインク回収室７１あるいはインク供給室７２に空気を送り、循環路７６ａ内の圧力を高める。第１、第２の圧力調整ポンプ９１ａ、９２ａは、それぞれインク回収室７１あるいはインク供給室７２の空気を外部に放出して、循環路７６ａ内の圧力を低減する。圧力調整ポンプ９１ａ、９２ａは、例えばチューブポンプあるいは蛇腹ポンプ等を利用できる。
【００４８】
図８に示すブロック図を参照して、インクジェット記録装置１の動作を制御する制御系２００について説明する。制御系２００の制御基板５００は、制御部でありインクジェット記録装置１全体を制御するマイクロコンピュータ（マイコン）５１０と、インク循環装置３を駆動する循環装置駆動回路５４０と、増幅回路５４１と、記録媒体移動部７を駆動する移動部駆動回路５４２と、インクジェットヘッド２を駆動するヘッド駆動回路５４３、を備える。インクジェット記録部４はインク循環装置３とインクジェットヘッド２から成る。マイコン５１０は、プログラムあるいは各種データ等を格納するメモリ５２０と、インクジェット記録部４インク循環装置からの出力電圧を取り込むＡＤ変換部５３０を備える。
【００４９】
制御基板５００は、電源５５０、インクジェット記録装置１の状況を表示する表示装置５６０、入力装置であるキーボード５７０に接続される。制御基板５００は、インクジェット記録部４の各種ポンプの駆動部や各種センサに接続される。制御基板５００は、記録媒体移動部７のポンプ１０４、スライドレール装置１０５、メンテナンスユニット３１０の駆動部、および搬送ベルト１０１のキャリッジモータ１０２、に接続する。
【００５０】
以下、インクジェット記録装置１の液体吐出方法について説明する。インクジェット記録装置１を最初に印刷動作させる場合に、インクカートリッジ８１からインクジェット記録部４にインクＩを充填する。インクＩを充填するためにマイコン５１０は、インクジェット記録部４を待機位置に戻し、メンテナンスユニット３１０を矢印Ｄ方向に上昇してノズルプレート５２を覆う。マイコン５１０は、インク供給ポンプ７１ｂを駆動し、インクカートリッジ８１からインク回収室７１にインクを送液する。インク回収室７１でインクＩが送液孔７１ｃに達すると、マイコン５１０は、圧力調整部９０でインクケーシング７０の圧力を調整し、循環ポンプ７７を駆動する。インク回収室７１の送液孔７１ｃとインク供給室７２の排出孔７２ｂにインクＩが到達するとマイコン５１０はインクＩの初期充填を完了する。
【００５１】
インクジェット記録装置１は、インクカートリッジ８１ａ、８１ｂ、８１ｃ、８１ｄ、８１ｅのシアンインク、マゼンダインク、イエロインク、ブラックインクインク、ホワイトインクをインクジェット記録部４ａ、４ｂ、４ｃ、４ｄ、４ｅにそれぞれ初期充填する。
【００５２】
インクＩの初期充填を完了した場合に、インクケーシング７０内の圧力は、インクジェットヘッド２のノズル５１からインクＩが漏れず、且つノズル５１から気泡を吸引しない程度の、負圧を維持する。インクケーシング７０の負圧により、ノズル５１は負圧のメニスカス２９０を維持する。インクＩの初期充填を完了した状態でインクジェット記録装置１の電源５５０を切った場合もインクケーシング７０は密閉状態であり、ノズル５１内のメニスカス２９０は負圧に維持し、インクの漏れを防止する。
【００５３】
プリントを開始すると、マイコン５１０は、記録体移動部７を制御して、記録媒体Ｓをテーブル１０３に吸着固定して、テーブル１０３を矢印Ｂ方向に往復移動する。マイコン５１０は、メンテナンスユニット３１０を矢印Ｃ方向に移動する。またマイコン５１０は、キャリッジモータ１０２を制御してキャリッジ１００を記録媒体Ｓの方向に搬送し、矢印Ａ方向に往復移動する。
【００５４】
マイコン５１０は、例えばメモリ５２０が記憶する画像データに応じた画像信号により、インクジェットヘッド２のアクチュエータ５４を選択的に駆動して、ノズル５１から記録媒体Ｓにインク滴ＩＤを吐出する。マイコン５１０は、循環ポンプ７７を駆動する。インクジェットヘッド２から還流されたインクＩは、インク回収室７１、フィルタ７８、インク供給室７２を経て循環し、インクジェットヘッド２に供給される。
【００５５】
インクジェット記録装置１は、インクＩを循環することにより、インクＩに混入した気泡や異物を除去して、インク吐出性能を良好に保持し、インクジェット記録部４によるプリント画質が向上する。
【００５６】
ノズル５１からのインク滴ＩＤの吐出、あるいは循環ポンプ７７の駆動等によりインクケーシング７０の圧力は変動する。インクケーシング７０の圧力を、ノズル５１からのインク漏れあるいはノズル５１から気泡を吸引しない安定域に維持するために、マイコン５１０は、インクケーシング７０の圧力を調整する。
【００５７】
マイコン５１０は、圧力調整部９０の圧力調整ポンプ９１ａ，９２ａやインク供給ポンプ７１ｂの駆動を切り替えて、インクケーシング７０の圧力を調整する。
【００５８】
例えばプリント時にノズル５１からインク滴ＩＤを吐出すると、インクケーシング７０のインク量が瞬間的に減少し、インク回収室７１の圧力が低下する。第１の圧力センサ９１ｂがインク回収室７１の圧力の低下を検知すると、マイコン５１０は、第１の圧力センサ９１ｂ、第２の圧力センサ９２ｂ、第１のインク量センサ（液面センサ）８８ａおよび第２のインク量センサ（液面センサ）８８ｂの検知結果から、圧力調整部９０やインク供給ポンプ７１ｂを駆動する。
【００５９】
ノズル５１にかかる圧力を調整する圧力調整方法について図９乃至図１１を参照して説明する。図９は圧力調整手順を示すフローチャートであり、図１０は圧力調整を示すタイミングチャートである。図１１は空気制御及びインク補充制御による圧力調整を行う場合の圧力値のグラフである。
【００６０】
インクジェット記録部４にて、ノズル５１からのインク漏れあるいはノズル５１から気泡を吸引しない、ノズル５１の圧力値Ｐの安定域の下限値を例えばＰｔ１とし、上限値を例えばＰｔ２とする。
【００６１】
図９および図１０に示すように、時間ｔ１で電源５５０を投入後、第１の圧力センサ９１ｂで検出したインク回収室７１の圧力値及び、第２の圧力センサ９２ｂで検出したインク供給室７２の圧力値に基づいて、ノズル５１の圧力値Ｐを算出する（Ａｃｔ１）。そして、圧力値Ｐが安定域であるか否か、すなわちＰｔ１≦Ｐ≦Ｐｔ２を満たすかどうかを判定する（Ａｃｔ２）。圧力値ＰがＰｔ１≦Ｐ≦Ｐｔ２を満たさない場合には、圧力値Ｐが安定域の上限値を超えるか否か、すなわちＰ≧Ｐｔ２を満たすかどうかを判定する（Ａｃｔ３）。Ｐｔ１≦Ｐ≦Ｐｔ２を満たさず（Ａｃｔ２のＮｏ）かつＰ≧Ｐｔ２を満たさない（Ａｃｔ３のＮｏ）場合、すなわち圧力値Ｐが下限値Ｐｔ１より低い場合には、マイコン５１０は、第１の圧力調整ポンプ９１ａ及び第２の圧力調整ポンプ９２ａを駆動し、インクケーシング７０内に外気を取り入れ、加圧調整する（Ａｃｔ４）。また、マイコン５１０はインク供給ポンプ７１ｂを駆動し、インクケーシング７０に新しいインクを補充することでインクケーシング７０を加圧調整する（Ａｃｔ５）。すなわちインクジェット記録部４は、第１の圧力調整ポンプ９１ａ及び第２の圧力調整ポンプ９２ａとインク供給ポンプ７１ｂとを併用し、ノズル５１からインクＩを吐出してプリントを行う間に、インクケーシング７０内に外気を取り入れるとともにインクカートリッジ８１からインク回収室７１に新しいインクを補充することで、ノズルの圧力を加圧調整する。
【００６２】
例えば図１０の時間ｔ２のように、ノズル５１の圧力値Ｐが下限値Ｐｔ１〜上限値Ｐｔ２の範囲に達し、Ｐｔ１≦Ｐ≦Ｐｔ２を満たすと（Ａｃｔ２のｙｅｓ）、マイコン５１０は、加圧調整を停止する。
【００６３】
例えば図１０の時間ｔ３のように、ノズル５１の圧力値Ｐが、上限値Ｐｔ２より高くなると（Ａｃｔ３のＹｅｓ）、マイコン５１０は、第１、第２の圧力調整ポンプ９１ａ、９２ａによりインクケーシング７０内の空気を外部に排出して、ノズル５１を減圧調整する（Ａｃｔ６）。
【００６４】
例えば図１０の時間ｔ４のように、ノズル５１の圧力値Ｐが下限値Ｐｔ１〜上限値Ｐｔ２の範囲に達すると（Ａｃｔ２のＹｅｓ）、マイコン５１０は、減圧調整を停止する。
【００６５】
例えば電源オフなどにより終了するまで（Ａｃｔ７）、以上の動作（Ａｃｔ１〜Ａｃｔ６）を繰り返す。
【００６６】
実施形態によれば、圧力調整の応答性が早く、液体吐出時の圧力の変動値を小さくすることができる。このため、吐出体積のばらつきを減らし、画像乱れを抑制することができる。インクジェット記録部４は、ノズル５１圧力値Ｐを加圧調整するために、第１の圧力調整ポンプ９１ａ及び第２の圧力調整ポンプ９２ａの駆動と、インク供給ポンプ７１ｂの駆動とを併用する。図１１に示すように、併用して加圧調整を行った場合、実施形態における環境下において、圧力平均値の変動値は約０．０８ｋＰａであった。これに対し、比較例として図１２に示すように、インクカートリッジ８１からインク回収室７１に新しいインクを補充することのみによって加圧調整をした場合、圧力平均値の変動値は約０．１８ｋＰａとなる。インクジェット記録装置は、圧力の変動値が小さい程、ノズル５１より吐出されるインクＩの吐出体積ばらつきは小さく、良好な画像が得られる。よって、上記実施形態のようにインクケーシング７０内に外気を取り入れることと、インクカートリッジ８１からインク回収室７１に新しいインクを補充することと、を併用した方が、良好な画像が得やすい。
【００６７】
インクジェット記録部４は、インク循環装置３によりインクＩを循環して、インクＩに含まれる気泡或いは異物等を除去する。インクジェットヘッド２のインク吐出性能を良好に保持して、インクジェット記録部４のプリント画質を向上する。
【００６８】
また、インクジェット記録部４は、プリント動作中の圧力調整中であってもインクケーシング７０内にインクカートリッジ８１から新しいインクＩを補充できる。したがって、インクジェット記録部４は、プリント動作を停止することなく、ノズル５１の圧力Ｐを調整する間にインクケーシング７０内にインクＩを補充出来、インクジェット記録装置１のプリント生産効率が低下するのを防止できる。
【００６９】
以上説明した実施形態の液体循環装置の構成は限定されない。例えば液室に液体を補充しつつ液体を循環出来れば液室と液体吐出部とは一体に形成されていなくても良い。また液体循環装置は、インク以外の液体を吐出することもできる。インク以外を吐出する液体吐出装置としては、例えばプリント配線基板の配線パターンを形成するための導電性粒子を含む液体を吐出する装置等であっても良い。
【００７０】
この発明の実施形態を説明したが、実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
（１）
液体を吐出する液体吐出部に供給する液体を保有する液室と、
前記液室と前記液体吐出部とで前記液体を循環させる循環部と、
前記液室に液体を補充する液体補充部と、
前記液室に気体を補充する気体補充部と、
前記液室の圧力を検知する圧力検知部と、
前記液体補充部で前記液室に前記液体を補充することと、前記気体補充部で前記液室に前記気体を補充することと、により前記液体吐出部の圧力を調整する制御部と、を備えることを特徴とする液体循環装置。
（２）
前記気体補充部は前記気体を放出することにより前記液体吐出部を減圧できることを特徴とする（１）の液体循環装置。
（３）
前記液室は前記液体吐出部の上にあり、前記液体吐出部と一体に設けられることを特徴とする（１）または（２）の液体循環装置。
（４）
（１）または（２）に記載の液体循環装置と、
液体を吐出するノズルを備える液体吐出部と、
前記ノズルから前記液体が吐出される位置に記録媒体を搬送する搬送部と、を備えることを特徴とする液体吐出装置。
（５）
液体を吐出する液体吐出部と、前記液体吐出部に供給する液体を保有する液室とで、前記液体を循環させ、
前記液体吐出部に液体を補充することと、前記液体吐出部に気体を補充することにより前記液体吐出部の圧力を調整する、ことを特徴とする液体吐出方法。
【符号の説明】
【００７１】
１…インクジェット記録装置、２…インクジェットヘッド、３…インク循環装置、３…インク循環部、４…インクジェット記録部、６…画像形成部、７…記録媒体移動部、５１…ノズル、５２…ノズルプレート、５４…アクチュエータ、６０…基板、６１…マニフォルド、７０…インクケーシング、７１…インク回収室、７１ｂ…インク供給ポンプ（液体補充部）、７７…循環ポンプ、８１…インクカートリッジ、９０…圧力調整部、９１…圧力調整部、９１ａ…圧力調整ポンプ（気体補充部）、９１ｂ…圧力センサ（圧力検知部）、９２…圧力調整部、９２ａ…圧力調整ポンプ（気体補充部）、９２ｂ…圧力センサ（圧力検知部）、１５０…インク圧力室、１８０…インク流路、５００…制御基板、５１０…マイコン（制御部）。
【図１】
0006385209.tif 000002
【図２】
0006385209.tif 000003
【図３】
0006385209.tif 000004
【図４】
0006385209.tif 000005
【図５】
0006385209.tif 000006
【図６】
0006385209.tif 000007
【図７】
0006385209.tif 000008
【図８】
0006385209.tif 000009
【図９】
0006385209.tif 000010
【図１０】
0006385209.tif 000011
【図１１】
0006385209.tif 000012
【図１２】
0006385209.tif 000013